【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
円筒容器と、
前記円筒容器内において、上下方向に所定間隔を存して一体形成された複数段の棚部材と、
前記棚部材の上面に形成される凸部と、
前記棚部材のぞれぞれに形成される開口部と、
それぞれの前記棚部材に対して相対移動可能に設けられ、前記棚部材に投下されたタバコの吸殻を前記棚部材の面方向に押し出して前記開口部から下段の棚部材へ落下させる押出し手段と、
最下段の前記棚部材の下方に配置した回収部材とを具備し、
前記各段の開口部を通じて上段から下段の棚部材上を順番に移動する際に、タバコの吸殻の火種が前記凸部に係合して前記棚部材上に残留し、自然消火されることを特徴とするタバコの吸殻処理装置。
【請求項２】
前記円筒容器は、断面が半円形状となる一対の半筒片が結合されて構成され、
前記棚部材の上面に形成される前記凸部は、一対の前記半筒片の結合方向に延びることを特徴とする請求項１に記載のタバコの吸殻処理装置。
【請求項３】
前記半筒片及び前記棚部材は、樹脂によって一体成型されることを特徴とする請求項２記載のタバコの吸殻処理装置。
【請求項４】
前記棚部材と前記押し出し手段の間に、前記タバコの灰が残留可能な隙間を形成したことを特徴とする請求項１、２又は３記載のタバコの吸殻処理装置。
【請求項５】
前記押出し手段は、前記円筒容器の略中心で回転する回転軸と、該回転軸に略直交する方向に設けられて、前記各段の棚部材上に存するタバコの吸殻を押し出す少なくとも一個のフィンと、を備えることを特徴とする請求項１乃至４のいずれか記載のタバコの吸殻処理装置。
【請求項６】
前記棚部材を少なくとも３段備えることを特徴とする請求項１乃至５のいずれか記載のタバコの吸殻処理装置。
【請求項７】
弾性を有する金属板で構成され、且つタバコの吸殻から火種を分離する前記凸部を有する火種分離部が、前記開口部に臨む前記棚部材の開口縁に設けられることを特徴とする請求項１乃至６のいずれか記載のタバコの吸殻処理装置。
【請求項８】
タバコの吸殻から火種を分離する前記凸部を有する火種分離部が、前記棚部材上の周方向複数個所に設けられることを特徴とする請求項１乃至７のいずれか記載のタバコの吸殻処理装置。
【請求項９】
前記開口の前記中心角は、略６０度乃至１９０度の範囲であることを特徴とする請求項１乃至８のいずれか記載のタバコの吸殻処理装置。
【請求項１０】
隣接する２つの前記棚部材を上下方向視した際に、前記棚部材の前記開口が相互に重ならないように形成されていることを特徴とする請求項１乃至９のいずれか記載のタバコの吸殻処理装置。
【請求項１１】
前記円筒容器の上方に配置され、前記タバコの吸殻と共に投入される金属異物を吸着する磁石部材を備えることを特徴とする請求項１乃至１０のいずれか記載のタバコの吸殻処理装置。
【請求項１２】
前記押出し手段の少なくとも一部が、樹脂材料によって構成されていることを特徴とする請求項１乃至１１のいずれか記載のタバコ吸殻処理装置。
【手続補正２】
【補正対象書類名】明細書
【補正対象項目名】０００７
【補正方法】変更
【補正の内容】
【０００７】
（１）円筒容器と、前記円筒容器内において、上下方向に所定間隔を存して一体形成された複数段の棚部材と、前記棚部材の上面に形成される凸部と、前記棚部材のぞれぞれに形成される開口部と、それぞれの前記棚部材に対して相対移動可能に設けられ、前記棚部材に投下されたタバコの吸殻を前記棚部材の面方向に押し出して前記開口部から下段の棚部材へ落下させる押出し手段と、最下段の前記棚部材の下方に配置した回収部材とを具備し、前記各段の開口部を通じて上段から下段の棚部材上を順番に移動する際に、タバコの吸殻の火種が前記凸部に係合して前記棚部材上に残留し、自然消火されることを特徴とするタバコの吸殻処理装置。
。
【手続補正３】
【補正対象書類名】明細書
【補正対象項目名】０００９
【補正方法】変更
【補正の内容】
【０００９】
（２）前記円筒容器は、断面が半円形状となる一対の半筒片が結合されて構成され、前記棚部材の上面に形成される前記凸部は、一対の前記半筒片の結合方向に延びることを特徴とする上記（１）に記載のタバコの吸殻処理装置。
この構成では、凸部が半筒片の係合方向（即ち対向方向）に延びて形成される。従って、この半筒片及び棚部材を、金型によって一体的に樹脂成型した後、棚部材側（半筒片の内周側）の金型片をする際に、この凸部の延在方向に沿って簡単に取り出すことが可能となる。この結果、極めて容易にこの円筒容器を製造することが可能となっている。
【手続補正４】
【補正対象書類名】明細書
【補正対象項目名】００１１
【補正方法】変更
【補正の内容】
【００１１】
（４）前記棚部材と前記押し出し手段の間に、前記タバコの灰が残留可能な隙間を形成したことを特徴とする上記（１）、（２）又は下記（３）記載のタバコの吸殻処理装置。
【手続補正５】
【補正対象書類名】明細書
【補正対象項目名】００１３
【補正方法】変更
【補正の内容】
【００１３】
（３）前記半筒片及び前記棚部材は、樹脂によって一体成型されることを特徴とする上記（２）記載のタバコの吸殻処理装置。
【手続補正６】
【補正対象書類名】明細書
【補正対象項目名】００１４
【補正方法】変更
【補正の内容】
【００１４】
（５）前記押出し手段は、前記円筒容器の略中心で回転する回転軸と、該回転軸に略直交する方向に設けられて、前記各段の棚部材上に存するタバコの吸殻を押し出す少なくとも一個のフィンと、を備えることを特徴とする上記（１）乃至（４）のいずれかに記載のタバコの吸殻処理装置。
【手続補正７】
【補正対象書類名】明細書
【補正対象項目名】００１６
【補正方法】変更
【補正の内容】
【００１６】
（６）前記棚部材を少なくとも３段備えることを特徴とする上記（１）乃至（５）のいずれか記載のタバコの吸殻処理装置。
【手続補正８】
【補正対象書類名】明細書
【補正対象項目名】００１８
【補正方法】変更
【補正の内容】
【００１８】
（７）弾性を有する金属板で構成され、且つタバコの吸殻から火種を分離する前記凸部を有する火種分離部が、前記開口部に臨む前記棚部材の開口縁に設けられることを特徴とする上記（１）乃至（６）のいずれか記載のタバコの吸殻処理装置。
【手続補正９】
【補正対象書類名】明細書
【補正対象項目名】００２０
【補正方法】変更
【補正の内容】
【００２０】
（８）タバコの吸殻から火種を分離する前記凸部を有する火種分離部が、前記棚部材上の周方向複数個所に設けられることを特徴とする上記（１）乃至（７）のいずれか記載のタバコの吸殻処理装置。
【手続補正１０】
【補正対象書類名】明細書
【補正対象項目名】００２２
【補正方法】変更
【補正の内容】
【００２２】
（９）前記開口の前記中心角は、略６０度乃至１９０度の範囲であることを特徴とする上記（１）乃至（８）のいずれか記載のタバコの吸殻処理装置。
【手続補正１１】
【補正対象書類名】明細書
【補正対象項目名】００２４
【補正方法】変更
【補正の内容】
【００２４】
（１０）隣接する２つの前記棚部材を上下方向視した際に、前記棚部材の前記開口が相互に重ならないように形成されていることを特徴とする上記（１）乃至（９）のいずれか記載のタバコの吸殻処理装置。
【手続補正１２】
【補正対象書類名】明細書
【補正対象項目名】００２６
【補正方法】変更
【補正の内容】
【００２６】
（１１）前記円筒容器の上方に配置され、前記タバコの吸殻と共に投入される金属異物を吸着する磁石部材を備えることを特徴とする上記（１）乃至（１０）のいずれか記載のタバコの吸殻処理装置。
【手続補正１３】
【補正対象書類名】明細書
【補正対象項目名】００２８
【補正方法】変更
【補正の内容】
【００２８】
（１２）前記押出し手段の少なくとも一部が、樹脂材料によって構成されていることを特徴とする上記（１）乃至（１１）のいずれか記載のタバコ吸殻処理装置。
【手続補正１４】
【補正対象書類名】明細書
【補正対象項目名】００３０
【補正方法】変更
【補正の内容】
【００３０】
なお、上記（１）乃至（１２）のいずれか記載のタバコの吸殻処理装置が、遊技機の共通カウンターに沿って配置されたタバコの吸殻の搬送装置終端側に設けられ、該終端側から排出されたタバコの吸殻が前記最上段の前記棚部材へ投下されるように構成されたことを特徴とするタバコの吸殻処理装置も好ましい。